(57)【要約】【課題】原稿反転案内部を備えていても、十分な原稿の積載量を確保することができ、また原稿排出部で原稿を整合して積載可能である原稿搬送装置及びそれを備えた画像形成装置を提供する。【解決手段】原稿搬送装置６は、原稿が載置される原稿載置部６１と、この原稿載置部６１の下側に配置され、原稿読取位置Ｒで読み取られた原稿が排出される原稿排出部８０と、原稿載置部６１と原稿排出部８０との間に配置され、原稿読取位置Ｒで読み取られた原稿を反転させて、再度原稿読取位置Ｒに送る際に用いられる原稿反転案内部９０とを備える。原稿排出部８０は原稿排出方向に上り勾配を有して延びる斜面部８３ａを有するガイド部８３を備え、原稿反転案内部９０は、上下方向においてガイド部８３に重ならないように、原稿搬送方向に直交する幅方向を狭くした幅狭部９３を備える。【選択図】図４
2010018365.tif 000002
【特許請求の範囲】
【請求項１】
原稿が載置される原稿載置部と、前記原稿載置部の下側に配置され、原稿読取位置で読み取られた原稿が排出される原稿排出部と、前記原稿載置部と前記原稿排出部との間に配置され、原稿読取位置で読み取られた原稿を反転させて、再度前記原稿読取位置に送る際に用いられる原稿反転案内部とを備えた原稿搬送装置において、
前記原稿排出部は原稿排出方向に上り勾配を有して延びるガイド部を備え、
前記原稿反転案内部は、上下方向において前記ガイド部に重ならないように、原稿搬送方向に直交する幅方向を狭くした幅狭部を備えることを特徴とする原稿搬送装置。
【請求項２】
前記幅狭部は前記原稿反転案内部の前記幅方向両側に設けられ、前記ガイド部は、上下方向において前記原稿反転案内部に重ならない位置に一対設けられ、前記一対のガイド部の間隔が前記原稿排出方向に広くなるように配置されることを特徴とする請求項１に記載の原稿搬送装置。
【請求項３】
前記幅狭部は前記原稿反転案内部の前記幅方向両側に設けられ、前記ガイド部は、上下方向において前記原稿反転案内部に重ならない位置に一対設けられ、前記一対のガイド部が前記幅方向に平行になるように配置されることを特徴とする請求項１に記載の原稿搬送装置。
【請求項４】
請求項１〜請求項３のいずれかに記載の原稿搬送装置が搭載された画像形成装置。
【発明の詳細な説明】
【技術分野】
【０００１】
本発明は、電子写真方式を利用した複写機、プリンタ、ファクシミリ、それらの複合機等に用いる原稿搬送装置及びそれを備えた画像形成装置に関し、特に、排出された原稿を載置する原稿排出部を備えた原稿搬送装置及びそれを備えた画像形成装置に関するものである。
【背景技術】
【０００２】
複写機、プリンタ等の画像形成装置には、電子写真プロセスにより形成される画像を読み取るために、画像読取装置を備えている。画像読取装置は、原稿を読み取るスキャナ装置とスキャナ装置の読み取り位置に原稿を送る原稿搬送装置を備える。原稿搬送装置では、原稿載置部に載置された複数の原稿が一枚ずつ分離され、スキャナ装置の原稿読取位置に搬送され、原稿画像が読み取り取られた後、原稿が原稿載置部の下側に配置された原稿排出部に搬送される。原稿排出部では、読み取られた原稿は排出口から排出され、用紙排出トレイ上に順次積載される。
【０００３】
通常、原稿排出部で一定量の原稿を積載するため、用紙排出トレイは排出口の下方に位置するように、排出口と用紙排出トレイに段差が設けられ、また、排出された原稿が整合されるように、用紙排出トレイは原稿排出方向に上り勾配となるように配置されている。
【０００４】
このような原稿排出部では、排出された原稿の積載量を確保するために、排出口からの段差や用紙排出トレイの上り勾配は、一定の原稿サイズに合わせて所定寸法、所定位置に固定されている。そのため、原稿が所定サイズ或いはそれに近いサイズであれば問題なく排出して積載されるが、例えば小さいサイズの原稿が排出された場合には、排出口より排出される原稿の先端が大きく撓んで略垂直状態で用紙排出トレイに当接し、この状態でさらに原稿の後端まで排出されると、原稿が表裏反転してしまうおそれがある。そこで、排出口からの段差を小さくした場合、十分な原稿の積載量を確保することができないという問題点があった。また、排出口からの段差が小さくなると、用紙排出トレイの上り勾配も小さくなるため、原稿の排出スピードによっては、用紙先端は原稿排出トレイ上で原稿排出方向に大きく突出するため、原稿を連続排出した場合、積載される原稿が上り勾配を滑り落ちず、積載状態に乱れが生じるという問題点があった。
【０００５】
そこで、特許文献１では、原稿排出トレイ上の２箇所には、原稿排出方向に上り勾配を有するガイド部が設けられており、所定の大きさの原稿がガイド部上に排出されると、原稿先端が排出時の勢いで、原稿排出トレイ上で原稿排出方向に大きく突出しても、ガイド部により原稿先端が原稿排出トレイから持ち上げられた後、ガイド部及び原稿排出トレイに沿って滑落して原稿後端を後壁部により整合された状態で積載している。
【０００６】
しかしながら、両面印刷モードの際には、スキャナ装置によって表面の画像を読み取られた原稿を反転させて、裏面の画像を読み取ることになる。このため、原稿搬送装置においては、原稿載置部と原稿排出部との間に原稿反転トレイが設けられ、この原稿反転トレイに、表面の画像を読み取った原稿を一旦排出し、原稿送り機構によって原稿を反転させて、再度原稿読取位置に送って、裏面の画像を読み取るようにしている。ここで、原稿反転トレイを備えた原稿搬送装置に上述した従来技術を適用すると、原稿排出部の上側に原稿反転トレイを備えるので、原稿排出部に十分な原稿の積載量を確保することができなくなり、さらに、上り勾配を有するガイド部によって、原稿先端部分が原稿反転トレイ側に持ち上げられることになり、積載された原稿束が原稿反転トレイに接触し、原稿排出部に十分な原稿の積載量を確保することができないという問題点があった。
【特許文献１】特開２００６−２７７５８号公報（段落［００３３］〜［００３６］、図２）
【発明の開示】
【発明が解決しようとする課題】
【０００７】
本発明は、上記のような課題を解決するためになされたものであり、原稿反転案内部を備えていても、十分な原稿の積載量を確保することができ、また原稿排出部で原稿を整合して積載可能である原稿搬送装置及びそれを備えた画像形成装置を提供することを目的とする。
【課題を解決するための手段】
【０００８】
上記目的を達成するために本発明は、原稿が載置される原稿載置部と、前記原稿載置部の下側に配置され、原稿読取位置で読み取られた原稿が排出される原稿排出部と、前記原稿載置部と前記原稿排出部との間に配置され、原稿読取位置で読み取られた原稿を反転させて、再度前記原稿読取位置に送る際に用いられる原稿反転案内部とを備えた原稿搬送装置において、前記原稿排出部は原稿排出方向に上り勾配を有して延びるガイド部を備え、前記原稿反転案内部は、上下方向において前記ガイド部に重ならないように、原稿搬送方向に直交する幅方向を狭くした幅狭部を備えることを特徴としている。
【０００９】
この構成によれば、排出された原稿は、原稿排出部においてガイド部により原稿先端部分を原稿反転案内部側に持ち上げられた後、ガイド部の上り勾配に沿って滑落して原稿後端を整合された状態で積載される。原稿先端部分がガイド部によって原稿反転案内部側に持ち上げられても、原稿反転案内部は上下方向において前記ガイド部に重ならないように幅狭部を備えているので、原稿排出部に積載された原稿は原稿反転案内部に接触しない。
【００１０】
また、請求項２に記載の発明では、前記幅狭部は前記原稿反転案内部の前記幅方向両側に設けられ、前記ガイド部は、上下方向において前記原稿反転案内部に重ならない位置に一対設けられ、前記一対のガイド部の間隔が前記原稿排出方向に広くなるように配置されることを特徴としている。この構成によれば、一対のガイド部の間隔が原稿排出方向に広くなるように配置されているので、排出された原稿は、ガイド部により原稿先端部分を原稿反転案内部側に持ち上げられた後、一対のガイド部の幅方向中央に寄せるように、ガイド部の上り勾配に沿って滑落して、原稿後端を原稿排出方向と幅方向に整合された状態で積載される。原稿先端部分が一対のガイド部によって原稿反転案内部側に持ち上げられても、原稿反転案内部は上下方向において一対のガイド部に重ならないように幅狭部を備えているので、原稿排出部に積載された原稿は原稿反転案内部に接触しない。
【００１１】
また、請求項３に記載の発明では、前記幅狭部は前記原稿反転案内部の前記幅方向両側に設けられ、前記ガイド部は、上下方向において前記原稿反転案内部に重ならない位置に一対設けられ、前記一対のガイド部が前記幅方向に平行になるように配置されることを特徴としている。この構成によれば、排出された原稿は、原稿排出部において平行に配置されたガイド部により原稿先端部分を原稿反転案内部側に持ち上げられた後、ガイド部の上り勾配に沿って滑落して原稿後端を原稿排出方向に整合された状態で積載される。原稿先端部分が一対のガイド部によって原稿反転案内部側に持ち上げられても、原稿反転案内部は上下方向において一対のガイド部に重ならないように幅狭部を備えているので、原稿排出部に積載された原稿は原稿反転案内部に接触しない。
【００１２】
また、請求項４に記載の発明では、上記の構成の原稿搬送装置が搭載された画像形成装置である。
【発明の効果】
【００１３】
請求項１に記載の発明によれば、排出された原稿は、原稿排出部においてガイド部により原稿先端部分を原稿反転案内部側に持ち上げられた後、ガイド部の上り勾配に沿って滑落して原稿後端を整合された状態で積載される。原稿先端部分がガイド部によって原稿反転案内部側に持ち上げられても、原稿反転案内部は上下方向において前記ガイド部に重ならないように幅狭部を備えているので、原稿排出部に積載された原稿は原稿反転案内部に接触しないので、十分な原稿の積載量を確保することができる。
【００１４】
また、請求項２に記載の発明によれば、一対のガイド部の間隔が原稿排出方向に広くなるように配置されているので、排出された原稿は、ガイド部により原稿先端部分を原稿反転案内部側に持ち上げられた後、一対のガイド部の幅方向中央に寄せるように、ガイド部の上り勾配に沿って滑落して、原稿後端を原稿排出方向と幅方向に整合された状態で積載される。原稿先端部分が一対のガイド部によって原稿反転案内部側に持ち上げられても、原稿反転案内部は上下方向において一対のガイド部に重ならないように幅狭部を備えているので、原稿排出部に積載された原稿は原稿反転案内部に接触しないので、十分な原稿の積載量を確保することができる。
【００１５】
また、請求項３に記載の発明によれば、排出された原稿は、原稿排出部において平行に配置されたガイド部により原稿先端部分を原稿反転案内部側に持ち上げられた後、ガイド部の上り勾配に沿って滑落して、原稿後端を原稿排出方向に整合された状態で積載される。原稿先端部分が一対のガイド部によって原稿反転案内部側に持ち上げられても、原稿反転案内部は上下方向において一対のガイド部に重ならないように幅狭部を備えているので、原稿排出部に積載された原稿は原稿反転案内部に接触しないので、十分な原稿の積載量を確保することができる。
【００１６】
また、請求項４に記載の発明によれば、原稿反転案内部を備えていても、十分な原稿の積載量を確保することができ、また原稿排出部で原稿を整合して積載可能である原稿搬送装置を備える画像形成装置にすることができる。
【発明を実施するための最良の形態】
【００１７】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１８】
（第１実施形態）
図１は、本発明の第１実施形態である画像形成装置を示す断面平面図である。画像形成装置１００は、装置本体の下部に配設された給紙部１と、この給紙部１の右方および上方に配設された用紙搬送部２と、この用紙搬送部２の上方に配設された画像形成部３と、この画像形成部３よりも用紙搬送方向下流側に配設された定着部４と、画像形成部３および定着部４の上方に配設された画像読取部５と、この画像読取部５の上方に配設された原稿搬送装置６とを備えている。
【００１９】
給紙部１は、装置本体に対して挿脱自在に装着された給紙カセット１１に積層載置された用紙の束を、円弧外周部を有する給紙ローラ１２の回転動作によって給紙カセット１１の出口側（図１では右側）に送り出すとともに、各給紙カセット１１の右端上部に設けられた捌き部１３によって捌くことにより、最上位置の用紙から１枚ずつ確実に用紙搬送部２に給紙するようになっている。
【００２０】
用紙搬送部２は、給紙部１から給紙された用紙を、搬送ローラ対２１およびレジストローラ対２２によって画像形成部３に向けて搬送し、さらに、画像形成部３から定着部４において画像形成を施された用紙を排出ローラ対２３によって排出トレイ２４上に排出するようになっている。
【００２１】
画像形成部３は、電子写真プロセスによって、用紙に所定のトナー像を形成するものであり、回転可能に軸支された光導電性を有する感光体ドラム３１と、この感光体ドラム３１の周囲に配設される帯電ユニット３２、露光ユニット３３、現像ユニット３４、転写ユニット３５、クリーナ３６および除電ユニット３７とを備えている。
【００２２】
帯電ユニット３２は、高電圧が印加される帯電ワイヤを備え、この帯電ワイヤからのコロナ放電によって感光体ドラム３１の表面に所定電位を与えるものである。露光ユニット３３は、画像読取部５によって読み取られた原稿の画像データに基づいてレーザ発光器から出力されるレーザ光を、ポリゴンミラーおよび反射鏡を介して感光体ドラム３１に照射する。これにより感光体ドラム３１表面の電位が選択的に減衰し、感光体ドラム３１の表面に静電潜像が形成される。現像ユニット３４は、上記静電潜像を現像して、感光体ドラム３１の表面にトナー像を形成するものである。転写ユニット３５は、感光体ドラム３１の表面のトナー像を用紙に転写するものである。クリーナ３６は、転写後の感光体ドラム３１の表面に残留しているトナーを除去し、また除電ユニット３７は、感光体ドラム３１の表面の残留電荷を除去するものである。
【００２３】
定着部４は、画像形成部３においてトナー像が転写された用紙を、加熱ローラ４１と加圧ローラ４２とによって挟んで加熱し、用紙上にトナー像を溶融定着させるものである。
【００２４】
画像読取部５は、原稿搬送装置６によって搬送される原稿やコンタクトガラス上に載置された原稿に光を照射して、その反射光を電気信号に変換することにより、原稿の画像情報を読み取り、その原稿画像に対応する画像データを生成するものである。
【００２５】
原稿搬送装置６は、コピー（複写）開始の指示入力などに応答して、原稿載置部６１に載置された原稿を自動的に１枚ずつ搬送するとともに、原稿の露光走査後に原稿排出部（図示略）へ排出させる、いわゆるシートスルータイプの原稿読み取りを行うものである。
【００２６】
原稿搬送装置６を詳しく説明する。図２は、本発明の実施形態である画像形成装置に搭載された原稿搬送装置の構成を示す断面平面図である。なお、図２に示す実線矢印は原稿の搬送経路と搬送方向を示し、破線矢印はさらに反転原稿の搬送経路と搬送方向を示す。
【００２７】
原稿搬送装置６は、読み取られる原稿が積載される原稿載置部６１と、原稿読取位置に原稿を搬送する原稿搬送部６４と、原稿載置部６１の下方に配置され、読み取られた原稿が排出される原稿排出部８０と、原稿載置部６１と原稿排出部８０との間に配置され、原稿を反転させるのに一旦排出される原稿反転案内部９０とを備える。
【００２８】
原稿搬送部６４は、原稿載置部６１の原稿搬送下流端側に設けられるピックアップローラ６５と、ピックアップローラ６５から略Ｕ字状に形成される搬送経路（図２の実線で示す搬送路）に沿って原稿搬送上流側から順に、搬送ローラ対６６、６７と、レジストローラ対６８と、搬送ローラ対６９、及び排出ローラ対７１を備える。また、レジストローラ対６８と搬送ローラ対６９の間には、原稿読取位置Ｒに対向し、原稿読取位置Ｒに向けて原稿を保持する原稿案内部７２が設けられる。さらに、搬送ローラ対６９と排出ローラ対７１の間には、切り替えガイド７３、７４が揺動自在に設けられ、切り替えガイド７３、７４の揺動によって、原稿の搬送方向が切り替えられる。
【００２９】
原稿載置部６１に積載された原稿は、ピックアップローラ６５によって、最下位置の原稿から１枚ずつ搬送路に搬送される。さらに原稿は、搬送ローラ対６６、６７によってレジストローラ対６８に向かって搬送され、レジストローラ対６８で原稿の斜め送りを矯正されて、原稿読取位置Ｒに搬送される。原稿読取位置Ｒで読み取られると、原稿は搬送ローラ対６９及び排出ローラ対７１によって原稿排出部８０に排出される。
【００３０】
原稿の両面を読み取るには、原稿読取位置Ｒにおいて表面の読み取りが済んだ原稿が、切り替えガイド７３、７４により、原稿反転案内部９０側（図２の破線で示す搬送路）に案内され、搬送ローラ対６９及び反転ローラ対７６によって原稿反転案内部９０に一旦排出される。原稿が原稿反転案内部９０に搬送されると、切り替えガイド７４が搬送方向を切り替え、逆回転する反転ローラ対７６によって、図２の実線の搬送路に戻される。表面と裏面が逆になって戻った原稿は、レジストローラ対６８に向かって搬送され、原稿読取位置Ｒで裏面を読み取られると、搬送ローラ対６９及び排出ローラ対７１によって原稿排出部８０に排出される。
【００３１】
次に、原稿載置部６１と原稿反転案内部９０と原稿排出部８０について、図２とともに、図３及び図４を参照して説明する。図３は原稿搬送装置を略前面側から見た斜視図であり、図４は、原稿搬送装置の原稿載置部６１を取り外した状態を示す上面図である。
【００３２】
図２に示すように、原稿載置部６１は原稿搬送部６４の右方に配される。また、図３に示すように、原稿載置部６１には、原稿の幅に応じて幅方向（原稿搬送・排出方向に直交する方向）にスライド可能な原稿押え部６２が原稿搬送部６４の近傍に設けられ、原稿載置部６１に原稿を載置する際には、原稿押え部６２を原稿幅に合わせる。また、原稿載置部６１には、使用者が操作する側に、載置切り欠き部６３が形成されている。原稿を原稿載置部６１に載置する際、載置切り欠き部６３で形成される空間に手指を差し入れて、原稿押え部６２に原稿を載置すればよいから、支障なく原稿を原稿載置部６１に載置することができる。
【００３３】
図２に示すように、原稿反転案内部９０は、原稿搬送部６４の右方で、反転させる原稿を一旦排出させられるように所定の間隔を有して、原稿載置部６１の下方に配される。原稿反転案内部９０は、原稿の搬送方向で一部分を載置するものであり、合成樹脂で、原稿載置部６１より原稿搬送方向に短い平板状に成形される。また、図４に示すように、原稿反転案内部９０は、原稿搬送部６４側に形成される第１反転トレイ面９１と、原稿搬送部６４から離れた位置に形成される第２反転トレイ面９２とを備える。第２反転トレイ面９２は、幅方向において対称に一対の幅狭部９３を有し、第１反転トレイ面９１より幅方向に短くなっている。
【００３４】
図２に示すように、原稿排出部８０は、原稿搬送部６４の右方で、原稿反転案内部９０の下方に配され、排出された原稿を順次積載させる空間を原稿反転案内部９０との間に形成している。原稿排出部８０は、排出された原稿を積載する原稿積載部８１と、原稿を整合して係止する後壁部８２、及び原稿積載部８１上に形成されるガイド部８３を備える。
【００３５】
原稿排出部８０は、排出された原稿の前部を受ける第１排出トレイ面８１ａと、排出された原稿の後部を受ける第２排出トレイ面８１ｂとを備える。第１排出トレイ面８１ａと第２排出トレイ面８１ｂは、原稿排出方向に上る勾配を有する斜面で形成され、第１排出トレイ面８１ａは、排出口７５の下方に所定の段差を設けて配され、第２排出トレイ面８１ｂよりも急勾配の斜面に設定されている。後壁部８２は排出口７５の直下に形成され、第１排出トレイ面８１ａに交わっている。
【００３６】
ガイド部８３は、第２排出トレイ面８１ｂ上に略原稿排出方向断面で三角形状をした突起体で第２排出トレイ面８１ｂに一体で形成される。ガイド部８３の三角形上面に形成される斜面８３ａは、原稿排出方向に上る勾配を有し、第１排出トレイ面８１ａよりも急勾配に設定される。
【００３７】
原稿排出部８０に排出される原稿がＡ４縦である（原稿の長辺方向が原稿排出方向である）場合には、ガイド部８３は、原稿排出方向において、Ａ４縦の原稿の先端部分に接触し、また、Ａ４の長辺より短い原稿、例えばＡ５やＢ５縦の原稿が排出された時に、Ａ５やＢ５縦の原稿が接触しない位置に配置される。Ａ５やＢ５縦の原稿は第１排出トレイ面８１ａに排出される。
【００３８】
また、図４に示すように、ガイド部８３は、第２排出トレイ面８１ｂの原稿排出方向の中央部から略対称に一対設けられる。一対のガイド部８３の幅方向における間隔は、Ａ４縦の原稿の短辺よりも短くなる位置に配置される。さらに一対のガイド部８３は、上下方向において、第２反転トレイ面９２の幅狭部９３で形成される空間、つまり原稿反転案内部９０に重ならない位置に配置されている。尚、ガイド部８３は、上下方向において、ガイド部８３の斜面８３ａの頂点部（最も高い部分）が原稿反転載置部９０に重ならない位置に配置されればよく、ガイド部８３の全部が原稿反転案内部９０に重ならない位置に配置されてもよいし、その一部が原稿反転案内部９０に重ならない位置に配置されてもよい。また、一対のガイド部８３の幅方向における間隔が原稿排出方向に広くなるように、一対のガイド部８３は「ハ」字状に配置されている。「ハ」字状ガイド部８３の幅広部分も原稿に接触しているのがよい。
【００３９】
図３、図４に示すように、原稿排出部８０の使用者が操作する側に、原稿積載部８１上に積載された用紙の下部に手指を差し入れるための差し入れ部８４が凹状に設けられ、原稿積載部８１上に積載された原稿の取り出しを容易にしている。
【００４０】
従って、原稿が排出口７５から原稿積載部８１に排出されると、原稿の先端部分は、ガイド部８３に至り、ガイド部８３の斜面８３ａに接触し、一方、原稿の後端部分は第１排出トレイ面８１ａに接触する。原稿先端部分はガイド部８３の斜面８３ａに沿って滑り落ち、また原稿後端部分は第１排出トレイ面８１ａに沿って滑り落ち、原稿後端は後壁部８２に係止され整合される。さらに、一対のガイド部８３は、その間隔が原稿排出方向に広くなるように配置されているので、原稿は、後壁部８２に向かって滑り落ちるときに、一対のガイド部８３の幅方向中央に寄せられるように整合する。
【００４１】
順次原稿が読み取られて、排出された原稿は、原稿積載部８１に積載されるが、一対のガイド部８３によって、原稿排出方向と幅方向に整合された状態になっている。また、一対のガイド部８３が上下方向において原稿反転案内部９０に重ならない位置に配置されているので、積載された原稿束は、一対のガイド部８３によって原稿反転案内部９０側にその両側を持ち上げられるが、原稿反転案内部９０に接触することがない。整合された原稿束は、第２反転トレイ９２の幅狭部９３と、原稿排出部８０の差し入れ部８４とで形成される空間に手を差し入れて、支障なく原稿積載部８１から取り出される。
【００４２】
上記第１実施形態によれば、原稿搬送装置６は、原稿が載置される原稿載置部６１と、この原稿載置部６１の下側に配置され、原稿読取位置Ｒで読み取られた原稿が排出される原稿排出部８０と、原稿載置部６１と原稿排出部８０との間に配置され、原稿読取位置Ｒで読み取られた原稿を反転させて、再度原稿読取位置Ｒに送る際に用いられる原稿反転案内部９０とを備える。原稿排出部８０は原稿排出方向に上り勾配を有して延びる斜面部８３ａを有するガイド部８３を備え、原稿反転案内部９０は、上下方向においてガイド部８３に重ならないように、原稿搬送方向に直交する幅方向を狭くした幅狭部９３を備える。
【００４３】
この構成によると、排出された原稿は、原稿排出部８０においてガイド部８３により原稿先端部分を原稿反転案内部９０側に持ち上げられた後、ガイド部８３の上り勾配に沿って滑落して原稿後端を整合された状態で積載される。原稿先端部分がガイド部８３によって原稿反転案内部９０側に持ち上げられても、原稿反転案内部９０は上下方向においてガイド部８３に重ならないように幅狭部９３を備えているので、原稿排出部８０に積載された原稿は原稿反転案内部９０に接触しないので、十分な原稿の積載量を確保することができる。
【００４４】
また、上記第１実施形態によると、幅狭部９３は原稿反転案内部９０の幅方向両側に設けられ、ガイド部８３は、上下方向において原稿反転案内部９０に重ならない位置に一対設けられ、一対のガイド部８３の間隔が原稿排出方向に広くなるように配置される。この構成によると、排出された原稿は、ガイド部８３により原稿先端部分を原稿反転案内部９０側に持ち上げられた後、一対のガイド部８３の幅方向中央に寄せられるように、ガイド部８３の斜面８３ａの上り勾配に沿って滑落して、原稿後端を原稿排出方向と幅方向に整合された状態で積載される。原稿先端部分が一対のガイド部８３によって原稿反転案内部９０側に持ち上げられても、原稿反転案内部９０は上下方向において一対のガイド部８３に重ならないように幅狭部９３を備えているので、原稿排出部８０に積載された原稿は原稿反転案内部９０に接触しないので、十分な原稿の積載量を確保することができる。
【００４５】
（第２実施形態）
図５は、本発明の第２実施形態である原稿搬送装置の原稿排出部を示す平面図であり、図６は、原稿載置部６１を取り外した状態を示す上面図である。第１実施形態と異なる、ガイド部の構成について主に説明し、以降、第１実施形態と同じ部分の説明を省略する。
【００４６】
図５に示すように、原稿排出部８０は、排出された原稿の前部を受ける第１排出トレイ面８１ａと、排出された原稿の後部を受ける第２排出トレイ面８１ｂとを備える。第２排出トレイ面８１ｂ上に一対のガイド部８６が形成される。
【００４７】
一対のガイド部８６は、第２排出トレイ面８１ｂ上に原稿排出方向断面で三角形状をした突起体で第２排出トレイ面８１ｂに一体で形成される。ガイド部８６の三角形上面に形成される斜面８６ａは、原稿排出方向に上る勾配を有し、第１排出トレイ面８１ａよりも急勾配に設定される。
【００４８】
図６に示すように、原稿反転案内部９０は、原稿搬送部６４側に形成される第１反転トレイ面９１と、原稿搬送部６４から離れた位置に形成される第２反転トレイ面９２とを備える。第２反転トレイ面９２は、幅方向において対称に一対の幅狭部９３を有し、第１反転トレイ面９１より幅方向に短くなっている。
【００４９】
一対のガイド部８６は、第２排出トレイ面８１ｂの原稿排出方向の中央部から略対称に平行に設けられ、上下方向において、第２反転トレイ面９２の幅狭部９３で形成される空間、つまり原稿反転案内部９０に重ならない位置に配置されている。尚、ガイド部８６は、上下方向において、ガイド部８６の斜面８６ａの頂点部（最も高い部分）が原稿反転案内部９０に重ならない位置に配置さればよく、ガイド部８６の全部が原稿反転案内部９０に重ならない位置に配置されてもよいし、その一部が原稿反転案内部９０に重ならない位置に配置されてもよい。
【００５０】
従って、排出口７５から原稿が原稿積載部８１に排出されると、原稿の先端部分は、ガイド部８６に至り、ガイド部８６の斜面８６ａに接触し、一方、原稿の後端部分は第１排出トレイ面８１ａに接触する。原稿先端部分はガイド部８６の斜面８６ａに沿って滑り落ち、また原稿後端部分は第１排出トレイ面８１ａに沿って滑り落ち、原稿後端は後壁部８２に係止され整合される。
【００５１】
順次原稿が読み取られて、排出された原稿は、原稿積載部８１に積載されるが、一対のガイド部８６によって、原稿排出方向に整合された状態になっている。また、一対のガイド部８６が上下方向において原稿反転案内部９０に重ならない位置に配置されているので、積載された原稿束は、一対のガイド部８６によって原稿反転案内部９０側にその両側を持ち上げられるが、原稿反転案内部９０に接触することがない。
【００５２】
上記第２実施形態によれば、幅狭部９３は原稿反転案内部９０の幅方向両側に設けられ、ガイド部８６は、上下方向において原稿反転案内部９０に重ならない位置に一対設けられ、一対のガイド部８６が幅方向に平行になるように配置される。
【００５３】
従って、排出された原稿は、ガイド部８６により原稿先端部分を原稿反転案内部９０側に持ち上げられた後、ガイド部８６の斜面８６ａの上り勾配に沿って滑落して、原稿後端を原稿排出方向に整合された状態で積載される。原稿先端部分が一対のガイド部８６によって原稿反転案内部９０側に持ち上げられても、原稿反転案内部９０は上下方向において一対のガイド部８６に重ならないように幅狭部９３を備えているので、原稿排出部８０に積載された原稿は原稿反転案内部９０に接触しないので、十分な原稿の積載量を確保することができる。
【産業上の利用可能性】
【００５４】
本発明は、電子写真方式を利用した複写機、プリンタ、ファクシミリ、それらの複合機等に用いる原稿搬送装置及びそれを備えた画像形成装置に利用することができ、特に、排出された原稿を載置する原稿排出部を備えた原稿搬送装置及びそれを備えた画像形成装置に利用することができる。
【図面の簡単な説明】
【００５５】
【図１】は、本発明の第１実施形態である画像形成装置を示す断面平面図である。
【図２】は、本発明の第１実施形態である画像形成装置に搭載された原稿搬送装置の構成を示す断面平面図である。
【図３】は、本発明の第１実施形態である画像形成装置に搭載された原稿搬送装置を前面側から見た斜視図である。
【図４】は、本発明の第１実施形態である画像形成装置に搭載された原稿搬送装置を示す上面図である。
【図５】は、本発明の第２実施形態である画像形成装置に搭載された原稿搬送装置を示す上面図である。
【図６】は、本発明の第２実施形態である画像形成装置に搭載された原稿搬送装置の原稿排出部を示す平面図である。
【符号の説明】
【００５６】
６    原稿搬送装置
６１    原稿載置部
６４    原稿搬送部
７５    排出口
８０    原稿排出部
８１    原稿積載部
８１ａ    第１排出トレイ面
８１ｂ    第２排出トレイ面
８２    後壁部
８３、８６    ガイド部
８３ａ、８６ａ    斜面
９０    原稿反転案内部
９１    第１反転トレイ面
９２    第２反転トレイ面
９３    幅狭部
１００    画像形成装置
Ｒ    原稿読取位置
【図１】
2010018365.tif 000003
【図２】
2010018365.tif 000004
【図３】
2010018365.tif 000005
【図４】
2010018365.tif 000006
【図５】
2010018365.tif 000007
【図６】
2010018365.tif 000008